(57)【要約】始めは液体であるが、その後厚みを有すると共に更にはエネルギー処理によって硬化される、少なくとも１つの物質からなる硬化系物質と、少なくとも一部分が結合される、少なくとも１つの柔軟な層からなることを特徴とする変形可能な構造を有する柔軟性フィルム。
2004528461.tif 000002
【特許請求の範囲】
【請求項１】
始めは液体であるが、その後厚みを有すると共に、更にエネルギー処理により硬化される少なくとも１つの物質からなる硬化系と、柔軟な層の少なくとも一部分が結合される、少なくとも１つの前記柔軟な層からなることを特徴とする変形可能な構造を有する柔軟性フィルム。
【請求項２】
柔軟な層と結合する物質が、自発的又は例えば熱のようなエネルギー処理により少なくとも部分的に変形可能なことを特徴とする請求項１記載のフィルム。
【請求項３】
柔軟な層が、ポリエチレン、ポリプロピレン、ポリエステル、アルミニウム、紙等からなる群に含まれる物質を有する少なくとも１つの層からなることを特徴とする請求項１記載のフィルム。
【請求項４】
変形可能な物質が、ポリマーの混合物からなることを特徴とする請求項１記載のフィルム。
【請求項５】
変形可能な物質が、不飽和ポリエステル樹脂の混合物からなることを特徴とする請求項４記載の柔軟性フィルム。
【請求項６】
変形可能な物質が少なくとも１つの増粘剤を有する不飽和樹脂の混合物からなることを特徴とする請求項５記載のフィルム。
【請求項７】
変形可能な物質がエポキシ樹脂、ジアクリレート、ジイソシアナート及び光開始剤の混合物からなることを特徴とする請求項４記載のフィルム。
【発明の詳細な説明】
【技術分野】
【０００１】
本発明は、サイズ及び構造的に安定する物品、特に使い捨て容器を形成するための変形可能な構造を有する柔軟性フィルムに関する。
使い捨て容器は、望ましい空間配置を行うためにリールを使用することなく、連続する接着、折り畳み及び可能な成形工程から得られる、丈夫なシート、通常はプラスチックでコーティングが施された紙から得られることが知られている。使い捨て容器に液体、顆粒又は粉末状の製品を充填することは、容器の形成中又は容器が完全に形成された後のどちらかで行うことが可能である。
【０００２】
これら既知の使い捨て容器は、安定性、積み重ね、棚における陳列、丈夫さ、製品保護、保存の容易性、使い勝手、再封の容易さに関して好都合である。しかしながら、使い捨て容器は必要以上に重く、費用がかかり又は潰すのが容易ではないため処分をするのが難しい。
柔軟性の使い捨て容器は、例えば、基本的に硬性容器となる欠点がないポリエチレンのプラスチック・フィルムから得られることがまた知られている。特に、ポリエチレンのプラスチック・フィルムから得られる使い捨て容器は、低コストで、容量が小さく、処分し易しく、巻き取りから開始する機械加工が単純で実用的であり、効率的である。
しかしながら、該使い捨て容器は、実際にはサイズの安定性がなく、従って積み重ねることが容易ではなく、更には商業上の観点からは、棚で陳列するのに適していない点で制限されている。
【０００３】
相違するタイプの既知の容器のこれら欠点を排除すると同時に有利さを保ち、サイズの安定性と同時に低コストであり、使用後の容量の縮小が可能な様に、物品、特に使い捨て容器をより正確に形成するために、請求項１に記載の出願人と同じ出願人による方法が提案される。
【０００４】
該方法は、非常に有効であり、物品、特に使い捨て容器が柔軟性フィルムから形成されることを可能とし、該フィルムは物品の形成より先に、リールに巻き付けることが可能であり、従って必要なスペースを縮小することができ、物品の形成の時だけ硬化される。
【０００５】
本発明は、従来の柔軟性フィルムに用いられる代わりとして、前記既知の方法で特に用いられ、構造の変形が可能なフィルムの提供を提案する。
【０００６】
本発明による変形可能な構造を有するフィルムは、始めは液体であるが、その後厚みを有すると共に、更にエネルギー処理により硬化される少なくとも１つの物質からなる硬化系と、柔軟性層の少なくとも一部分が結合される、少なくとも１つの前記柔軟性層からなることを特徴とする変形可能な構造を有する柔軟性フィルムである。
【０００７】
本発明のいくつかの好適な実施形態が、本発明を限定しない例により更に明らかにされる。
第１実施形態において、構造の変形が可能なフィルムは、回転又は押し出しにより接合する従来の工程により結合される複数の層から形成されるフィルム（２）である。これら層の１つは、例えば、ポリエチレン、ポリプロピレン、ポリエステル、アルミニウム、紙等、従来の柔軟性フィルムから形成される。他のこれら層の１つは、２通りの構造変形を行うことが可能なフィルム加工可能物質が形成される。第１の変形（段階Ａ）は、自発的又は例えば熱のようなエネルギーの処理のどちらかにより、接着工程の間に開始され、物質を多層フィルムとして機能することを可能とする状態に変形し、特定のタイプのエネルギーの処理により指令の後、第２の変形は実行される（段階Ｂ）。
特に、処理されるエネルギーは、光（例えば紫外線の範囲における、スペクトルで）、超音波、電子ビーム、熱（第１段階よりも高いトリガー温度で）等であることができる。
変形可能な構造を有する物質は、従来の柔軟性フィルムの全体又は一部分の表面を覆うことが可能である。第１のケースにおいて変形可能な構造を有する物質は、塗布又は散布により適用することができ、又は従来の柔軟性フィルムに接着されることによりフィルムを形成することができる。第２のケースにおいて、変形可能な構造を有する物質は、スタンピングにより適用することができる。全てのケースにおいて、多層フィルム（２）は、従来の柔軟性フィルムと同様に柔軟であり、機能し、リールに巻き付け、格納することができる。
変形可能な構造を有する物質は混合物、例えばいくつかのポリマー、例えば、フォト・クロスリンク可能な不飽和ポリエステル樹脂及び１又はそれ以上の増粘剤から、又は不飽和エポキシ樹脂から、又は無水物から、又は不飽和ポリエステルとジイソシアネートから、又はポリオールとジイソシアネートから、又はエポキシ樹脂から、又はジアクリレートとジイソシアネートから、又はポリウレタン接着剤とアクリル系、又はビニール・ニス及びアクリル系から、又は同様の物質から形成される系であり、第１段階において、重合体の架橋形成へ導くことができる２つの相違する樹脂間の重合反応があり、又は同じ樹脂の分子の重合を発生することができ、又は厚みを有することが、フィルム作成可能性を確実にするための調整の中心において、いくつかの分子を調整することにより行うことができ、その結果、第２段階において硬化が行われる。
変形可能な系は、少なくとも１つが二重結合を有する構成成分が通常提供され、またこの系は、活性剤（光開始剤、熱活性剤、触媒）が提供される。
【０００８】
フィルム（２）が得られた後、例えば、実質的に硬い物質又は容器（４）を得るために使用される際に於いて、変形可能な物質の性質に適合するタイプのエネルギー処理を行うことを前提にして、柔軟性から実質的に硬性に変形することができる。
【０００９】
得られる物品に依存するが、エネルギー処理は、あらゆる瞬間及びあらゆる形態に於いて発生し得る。例えば、得られる物質が、独自の形態を有するボディのために被覆加工から構成されている。この被覆加工は、例えば、パネルのための被覆加工である。柔軟性である多層フィルムにパネルを適用した後に、エネルギーがこのパネル全体の表面に処理されていなければならない。
【００１０】
しかしながら、もし被覆加工される物品が、拡大／縮小化されるパネル又は突形状ボディ（例えば、アームチェアーのアーム）から構成されていれば、折り目部や重複部を形成することなしにボディに確実に接着することができるために、多層フィルムは可変長タイプであり、再度、エネルギーが前記パネル全体の表面に処理されていなければならない。
【００１１】
最終的に、もし、得られる物質が、角部に於いてのみ硬化されたバッグ・タイプのような容器（４）から構成されていれば、変形可能な物質は、容器の角部を形成された多層フィルムの結合部へ又は、フィルムの表面全体へ適用される。第１ケースに於いて、エネルギーがフィルム全体の表面に処理されており、第２ケースに於いて、マスキングに適用される。すなわち、容器の角部を形成される結合部のみを含んでいる。
【００１２】
他の実施形態に於いて、変形可能な構造を有する柔軟性フィルムとしては、例えば、変形可能な物質を含浸させる紙や不織の繊維のような少なくとも部分的に多孔質な物質に於ける柔軟性のフィルムの形成に於いて、単層フィルムが示される。この方法に於いて、複合材料は、単層から形成され得られており、この単層に於いて、含浸体がマトリックスを構成するとともに、フィルムが硬化充填剤を構成しており、第１変形によって、この物質は実行及び処理される条件へ移される。第２変形によって、指令により実施されるような実質的な硬性を有する。
【００１３】
この第２実施形態で使用される物質は、フィルムが、最終的な硬化が行われる前の形成時でさえ粘着性でないことを確実にし、且つ、水中又は溶媒中に溶解して分散されるウレタン・アクリレート、不飽和ポリエステル、多種多様な反応停止アクリレート、などがある。
【００１４】
この実施形態の他の形態に於いて、単層の変形可能なフィルムが、多層フィルムを形成するための従来の柔軟性フィルムと結合されており、この多層フィルムに於いて、少なくとも１つの層が２つの相違する変形が行われていることを特性としており、機械的特性を増すことのできる第２変形である。
【００１５】
第３実施形態に於いて、指令により硬化する物質は押出される特徴を有している。この方法に於いて、変形可能な構造を有する柔軟性フィルムを形成するために押出され、又は、フィルム化可能なポリオレフィンと同時押出しされる。
【００１６】
この後者の形態に於いて、硬化物質は、押し出し段階期間で柔軟性フィルムへ変形させる第１変形に影響を及ぼす。又一方で、硬化を決定する第２変形は、この系によって要求された変形に於けるエネルギーを次に処理する指令に於ける要因とされる。
【００１７】
硬化物質が柔軟性タイプである上述したような両ケースに於いて、本発明の構造的な変形可能なフィルムの全体の表面を明確に含んでいる。従って、もし変形が、フィルムの定義された領域のみに含まれるとすれば、エネルギー処理は、マスキングを伴って発生する必要がある。
【００１８】
構造的な変形可能な柔軟性フィルムの第４実施形態は、前記工程間の中間溶液を示している。第４実施形態に従うと、柔軟性フィルムは多層タイプであり、すなわち、複数の層で形成されており、硬化物質へと適用される従来の柔軟性フィルムの１つは、上述する如く、第１実施形態に関連している。又、多層フィルムの少なくとも１つの層が硬化物質から構成されるか、又は硬化物質を含んでいる。このようにして、この形態に於いて、エネルギー処理は、１以上の多くの層に亘って発生しなければならない。又、使用される物質が同一か相違であるかに依存して、効果が強化され又は精選され得る。
【００１９】
変形可能な構造を有する柔軟性フィルムの第５実施形態は従来の柔軟性フィルムからなる。このフィルム上に置かれた架橋可能なポリマーがあり、このポリマーは大気温度において固体状態でありかつ使用のために適切な溶媒で薄められている。この場合、機能的でかつ巻き取り可能な多層フィルムを得るために、第１変形段階は溶媒の気化からなり、引き続いて柔軟性フィルムの第２フィルムへの可能な限りの結合を行う。すなわち多層フィルムの最後の硬化はエネルギー処理の結果として生じる活性剤（例えば電子ビーム、又は光開始剤があれば紫外線）を伴いもしくは伴わずにポリマーの架橋によって行われる。
【００２０】
変形可能な構造を有する柔軟性フィルムの第６実施形態において従来の柔軟性フィルムに適用するために硬化物質として用いられる。すなわち２つのラジカル・ポリメリゼーションの混合である。２つのうち１つは液体状態であり、他の１つは固体状態（物理的厚さ）である。この場合、特に粉末状態において、固体状態のポリマーは液体状態のポリマーに浮く。その浮遊は、ポリマーが従来の方法で拡散されることを可能にするような濃度を有する。第１変形は熱であり、そして液体ポリマー中の固体ポリマーの可溶化という結果に終わり、系物質において効果的な粘性の増加をつくりだす。第２変形は２つのポリマーのうち少なくとも１つのポリマーの架橋であり、プラスチック・フィルムの最後の硬化という結果に終わる。この場合に使用可能な物質は、これらのうち少なくとも１つが不飽和である固体ポリエステルと液体ポリエステル、固体ジアクリレートと液体ジアクリレートすなわち交差系物質である。この系は、特定の樹脂に限られる重大な影響を生じることなく非常に急速に厚みを増す利点を有する。
【００２１】
変形可能な構造を有する柔軟性フィルムの第７実施形態は、従来のフィルムへの適用からなる。すなわち２つの要素のポリウレタン系接着剤及び発泡性マイクロビーズから形成される物質である。この場合、第１構造的変形段階はポリウレタン系接着剤の形成であり、その後マトリクス、フィルムそしてマイクロビーズ間の接着がなされるが第２段階は熱エネルギー処理の結果として生じるマイクロビーズの拡張からなる。順に、マイクロビーズ発泡の結果として起こる量の増加は、マイクロビーズが存在するフィルムのこれらの部分においての硬化を増すことを決定する。
【００２２】
この実施形態の別の形態において、マイクロビーズは、等しいもしくは異なるタイプのエネルギーの処理に従い架橋する系に、もしくはすでに上述された２段階の硬化系の１つに組み込まれている。この場合第１変形はマイクロビーズを含む系の厚くなることであるが最後の硬化のための変形はマイクロビーズの発泡及びそれらを含む系の架橋からなる。そして得られた最終結果を改良する。
【００２３】
変形可能な構造を有する柔軟性フィルムの第８実施形態は、樹脂及び今後多層フィルムの弾性率の増加という結果を生じるナノ複合材料を形成するナノ粒子形式の充填剤の二重硬化有機樹脂への挿入からなる。ナノ粒子がフィルムの機械的性質への重要な貢献を提供するために、これらは樹脂に結合されなければならない。充填剤とマトリクス間の良好な接着を得るために、ナノ粒子は、化学的接着が粒子及びマトリクス間で形成されるように用いられる樹脂と置換可能な有機基を使用し機能的にされなければならない。用いられる粒子は非有機性であることが望ましく、モンモリロナイトのように天然資源であることも可能であり又は化学合成であることも可能であり（例えばアルコキシシラン）又は混成から形成されることも可能である。ナノ粒子はナノ複合材料を形成する樹脂の置換部分に接着するためにポリマー・マトリクスで覆われ得る。
【００２４】
変形可能な構造を有する柔軟性フィルムの第９の実施形態は非有機部分と有機部分、ナノ粒子で硬化された部分から形成される混成系物質の使用に基づくことができる。この場合フィルムの可塑性を保証する有機部分と弾性率において重要な増加を決定する非有機部分の組み合わせによる相乗効果がある。最後に、ナノ粒子の存在は更にフィルム硬化を増加するナノ複合材料が形成されることを可能にする。この場合、用いられるナノ粒子は、マトリクスの有機部分又は非有機部分との接着を形成するために、有機非有機混成であり得る。
【００２５】
変形可能な構造を有する柔軟性フィルムが得られる方法と関係なく、機能し、リールで巻きつけられ、保存される現在の包装機械において使用可能である。
【００２６】
柔軟性フィルムの全て又は一部分が硬化されるとき、最後の変形を引き起こしフィルムの予定された部分の硬化という結果を得るために、エネルギーは物質によって要求される形成及び強度において提供されなければならない。
【図面の簡単な説明】
【００２７】
【図１】本発明の実施形態を示す図である。
【国際公開パンフレット】
2004528461.tif 000003
2004528461.tif 000004
2004528461.tif 000005
2004528461.tif 000006
2004528461.tif 000007
2004528461.tif 000008
2004528461.tif 000009
2004528461.tif 000010
2004528461.tif 000011
2004528461.tif 000012
2004528461.tif 000013
2004528461.tif 000014
【国際公開パンフレット（コレクトバージョン）】
2004528461.tif 000015
2004528461.tif 000016
【国際調査報告】
2004528461.tif 000017
2004528461.tif 000018